(57)【要約】【課題】静止画の撮影のためのストロボ光源と、静止画の連続撮影や動画撮影のためのＬＥＤとを両方備え、暗所でも画質の良いカメラ撮影を可能とする撮像装置を提供する。また、ユーザ側撮影と相手側撮影の２方向の撮影が可能であり、それぞれに対して光源の発光／非発光を制御可能な撮像装置を提供する。【解決手段】ユーザ側撮影および相手側撮影の双方において、ユーザの発光要望（オン，オフ，オート）を示すライト設定（発光設定）の入力に応じて、制御回路２１は、静止画撮影の場合、ストロボ駆動回路２０１を制御してストロボ光源２０２を発光させる。また、ストロボ光源２０２の使用が困難な連写／動画撮影の場合、制御回路２１は、ＬＥＤ駆動回路２０３を制御してＬＥＤ２０４，２０５を発光させる。【選択図】図３
2005107240.tif 000002
【特許請求の範囲】
【請求項１】
非連続な画像を得る第１の撮影モードと、連続した画像を得る第２の撮影モードとを選択可能な撮像装置であって、
前記第１の撮影モードで駆動される第１の光源と、
連続駆動可能な第２の光源と、
撮影時における発光要求の有無を入力する発光要求入力手段と、
前記第１の光源および前記第２の光源をそれぞれ駆動するか否かを制御する制御手段と  を有し、
前記制御手段は、
前記発光選択手段により発光を選択されると、第２の撮影モードにおいて撮影を行う間、第２の光源を発光させる
ことを特徴とする撮像装置。
【請求項２】
前記第２の光源は、複数色の発光が可能であり、
前記制御手段は、
前記発光要求入力手段が発光要求有を入力すると、第２の撮影モードにおいて、撮影による画像取り込みの開始から撮影による画像取り込みの終了までの間、第２の光源を前記複数色のうち最も輝度の高い第１の色に発光させ、
前記発光要求入力手段が発光要求無を入力すると、第２の撮影モードにおいて、撮影による画像取り込みの開始から撮影による画像取り込みの終了までの間、第２の光源を前記第１の色と異なる第２の色に発光させる
ことを特徴とする請求項１記載の撮像装置。
【請求項３】
前記制御手段は、
前記発光要求入力手段が発光要求有を入力すると、前記第１の撮影モードおよび／または前記第２の撮影モードにおいて、撮影による画像取り込みの確定より前に、前記第２の光源を最も輝度の高い色に発光させる
ことを特徴とする請求項１または２記載の撮像装置。
【請求項４】
前記第１の撮影モードで得られる画像と略相対する方向の非連続な画像を得る第３の撮影モードと、
少なくとも前記第３の撮影モードで駆動される第３の光源と
をさらに有し、
前記制御手段は、
前記発光要求入力手段が発光要求有を入力すると、第３の撮影モードにおいて撮影を行う間、第３の光源を発光させる
ことを特徴とする請求項１から３のいずれか一に記載の撮像装置。
【請求項５】
前記第３の光源は、複数色の発光が可能であり、
前記制御手段は、
前記発光要求入力手段が発光要求有を入力すると、第３の撮影モードにおいて、撮影による画像取り込みの開始から撮影による画像取り込みの終了まで間、第３の光源を前記複数色のうち最も輝度の高い第３の色に発光させ、
前記発光要求入力手段が発光要求無を入力すると、第３の撮影モードにおいて、撮影による画像取り込みの開始から撮影による画像取り込みの終了まで間、第３の光源を前記第３の色と異なる第４の色に発光させる
ことを特徴とする請求項４記載の撮像装置。
【請求項６】
前記制御手段は、
前記発光要求入力手段が発光要求有を入力すると、前記第３の撮影モードにおいて、撮影による画像取り込みの確定より前に、前記第３の光源を最も輝度の高い色に発光させる  ことを特徴とする請求項４または５記載の撮像装置。
【請求項７】
撮影指示に応じて計時を開始する計時手段をさらに有し、
前記制御手段は、
前記計時手段が所定時間を計時すると、選択された撮影モードに応じて画像を取り込み、
前記計時手段が計時開始から前記所定時間を計時する間、選択された撮影モードに応じて、少なくとも第２の光源を発光させる
ことを特徴とする請求項１から６のいずれか一に記載の撮像装置。
【請求項８】
さらに無線通信手段を有し、
前記制御手段は、
前記無線通信手段が無線通信データを受信した時に、前記第２の光源を発光させる
ことを特徴とする請求項１から７のいずれか一に記載の撮像装置。
【発明の詳細な説明】
【技術分野】
【０００１】
本発明は、携帯電話機などの携帯端末に用いられる撮像装置に関するものである。
【背景技術】
【０００２】
近年、ディジタルカメラおよびディジタルカメラが搭載された携帯端末装置が普及している。最近では、携帯端末装置としての携帯電話機に搭載されるディジタルカメラの画素分解能も１００万画素を越えるものが市場に出回るようになり、携帯端末装置に搭載される撮像装置の撮像性能が急速に向上している。また、近年、さらに、動画（ムービー）撮影が可能なディジタルカメラおよび携帯電話機も実用に供されている。
したがって、このように向上した撮像性能を、暗所において十分に発揮すべく、照射性能の向上が要望される。
【発明の開示】
【発明が解決しようとする課題】
【０００３】
しかしながら、現在実用化されている撮像装置においては、発光源として、放電管を用いたストロボ光源、または、ＬＥＤのどちらか一方しか備えていないので、ユーザにとって満足のいくものとはなっていなかった。
すなわち、ストロボ光源は、静止画の撮影では暗所においても鮮明な画像を得ることが可能であるが、一度発光させてから再発光のためにコンデンサを充電する時間が必要であることから、静止画の連続撮影（連写撮影）や動画撮影においては、使用することが難しいという問題がある。
また、ＬＥＤは、ストロボ光源と異なり、一度発光させてから再発光のための充電用コンデンサが必要ないことから、連写撮影や動画撮影において、連続点灯させることが可能であるが、ストロボ光源と比較すると輝度が低いため、静止画撮影における照射性能が劣るという問題がある。
【０００４】
本発明の第１の目的は、暗所において連写撮影や動画撮影を行ったとしても、画質の良い画像が得られる撮像装置を提供することにある。
さらに、本発明の第２の目的は、ユーザにとっても被写体にとっても、暗所での撮影動作が視認しやすい撮像装置を提供することにある。
【課題を解決するための手段】
【０００５】
上記目的を達成するために本発明の第１の観点は、非連続な画像を得る第１の撮影モードと、連続した画像を得る第２の撮影モードとを選択可能な撮像装置であって、前記第１の撮影モードで駆動される第１の光源と、連続駆動可能な第２の光源と、撮影時における発光要求の有無を入力する発光要求入力手段と、前記第１の光源および前記第２の光源をそれぞれ駆動するか否かを制御する制御手段とを有し、前記制御手段は、前記発光選択手段により発光を選択されると、第２の撮影モードにおいて撮影を行う間、第２の光源を発光させる。
【０００６】
好ましくは、前記第２の光源は、複数色の発光が可能であり、前記制御手段は、前記発光要求入力手段が発光要求有を入力すると、第２の撮影モードにおいて、撮影による画像取り込みの開始から撮影による画像取り込みの終了までの間、第２の光源を前記複数色のうち最も輝度の高い第１の色に発光させ、前記発光要求入力手段が発光要求無を入力すると、第２の撮影モードにおいて、撮影による画像取り込みの開始から撮影による画像取り込みの終了までの間、第２の光源を前記第１の色と異なる第２の色に発光させる。
【０００７】
好ましくは、前記第１の撮影モードで得られる画像と略相対する方向の非連続な画像を得る第３の撮影モードと、少なくとも前記第３の撮影モードで駆動される第３の光源とをさらに有し、前記制御手段は、前記発光要求入力手段が発光要求有を入力すると、第３の撮影モードにおいて撮影を行う間、第３の光源を発光させる。
【０００８】
好ましくは、前記第３の光源は、複数色の発光が可能であり、前記制御手段は、前記発光要求入力手段が発光要求有を入力すると、第３の撮影モードにおいて、撮影による画像取り込みの開始から撮影による画像取り込みの終了まで間、第３の光源を前記複数色のうち最も輝度の高い第３の色に発光させ、前記発光要求入力手段が発光要求無を入力すると、第３の撮影モードにおいて、撮影による画像取り込みの開始から撮影による画像取り込みの終了まで間、第３の光源を前記第３の色と異なる第４の色に発光させる。
【発明の効果】
【０００９】
本発明に係る撮像装置によれば、静止画の撮影だけでなく、連写撮影や動画撮影においても、暗所で画質の良い撮影を行うことが可能となるので、ユーザにとって非常に利便性が高い。
【発明を実施するための最良の形態】
【００１０】
実施形態
以下、本発明の実施形態を添付図面に関連付けて説明する。
図１は、本実施形態に係る撮像装置の一例として携帯電話機を用いた場合の本体の外観図の１例であり、（ａ）は閉じられた状態の外観図を、（ｂ）は開けられた状態の外観図をそれぞれ示す。
また、図２は、本実施形態に係る携帯電話機本体の閉じられた状態の外観図であり、（ａ）は図１（ａ）に示す外観の背面図を、（ｂ）は（ａ）に記したＡから見た矢視図をそれぞれ示す。
図３は、本実施形態に係る携帯電話機の主要な回路構成を示すブロック図の１例である。
【００１１】
本実施形態に係る携帯電話機１は、相対する２方向のカメラ撮影を可能とする携帯電話機である。すなわち、被写体や景色等を撮影する場合（相手側撮影）と、これに相対する方向、つまり、自己の画像を撮影する場合（ユーザ側撮影）の２方向のカメラ撮影が可能である。
相手側撮影を行う場合、ユーザは、閉じられた状態の携帯電話機１（図１（ａ））を横向きに構え、表示部１４に被写体や景色等を捉えながら撮影することになる。また、ユーザ側撮影を行う場合、ユーザは、開かれた状態の携帯電話機１（図１（ｂ））をそのまま縦向きに構え、表示部１４に自己の画像を捉えながら撮影することになる。
さらに、相手側撮影を行う場合には、連写撮影（連続した静止画の撮影）や動画撮影が可能である。また、２方向のカメラ撮影ともに、セルフタイマ撮影が可能である。
【００１２】
以下に、本実施形態に係る携帯電話機１の各構成要素を説明する。
図３に示すように、本実施形態に係る携帯電話機１は、無線通信手段としての通信部１２、音声部１３、表示部１４、操作部１５、メモリ１６、制御手段としての制御回路２１および撮像処理部１９を有している。
【００１３】
通信部１２は、送受信アンテナ１２１および無線回路１２２により構成されている。
送受信アンテナ１２１は、本体ケース１１の表示部１４のある側に内蔵されている。
無線回路１２２は、電波を利用した無線通信で行うために、制御回路２１で処理された音声情報、電子メール等を変調して、アンテナ１２１により図示しない基地局に送信する。また、無線回路１２２は、基地局から無線により送信され、アンテナ１２１で受信した電子メールや音声情報等の各種情報を復調して制御回路２１に出力する。
【００１４】
音声処理部１３は、音声処理回路１３１を有し、通話機能のために音声入力を行うマイクロフォン１３２と音声出力を行うスピーカ１３３が接続されている。
音声処理回路１３１は、マイクロフォン１３２により入力した音声に対して所定の処理を行って制御回路２１に供給する。
また、音声処理回路１３１は、制御回路２１により供給された音声情報に対して所定の処理を行ってスピーカ１３３から出力させる。
図１（ｂ）に示すように、マイクロフォン１３２は、ケース本体１１の操作部１５の下部に配置され、スピーカ１３３は表示部１４の上部に配置されている。
【００１５】
表示部１４は、図１に示すように、ケース本体１１の上部側に配置された液晶表示装置（ＬＣＤ）等の表示デバイスを有し、通話機能のために入力した電話番号や各種メッセージ、テキストデータ等を表示する。
また、各撮影モードでは、撮像処理部１９により得られた被写体の画像が、表示部１４に表示される。
【００１６】
操作部１５は、図１（ｂ）に示すように、ケース本体１１の下部側に、終了（終話）／電源キー１５ａ、開始（発呼）キー１５ｂ、数字等に対応した複数のテンキー１５ｃ、上下左右キー１５ｄ、センターキー１５ｅを有する。
また、操作部１５は、図２（ｂ）に示すとおり、携帯電話機１の側面部にも撮影キー１５ｆを有しており、相手側撮影時のシャッターボタン、ライト設定ボタン等が撮影キー１５ｆに含まれる。
ライト設定ボタンにより、ユーザは、撮影時の光源発光を要求するモード（オン状態）、撮影時の光源発光を要求しないモード（オフ状態）および光源の発光を自動選択させるモード（オート状態）の中から所望のライト（光源）設定を選択可能である。
【００１７】
記憶手段としてのメモリ１６には、たとえばＥＥＰＲＯＭを含んで構成され、通話やメールの送受信のための制御プログラム、インターネットブラウザ、メッセージデータ、名前および電話番号が登録されたアドレス帳が記憶される。
また、メモリ１６には、撮影により得られた画像データが、制御回路２１により画像圧縮処理された後に記憶される。
【００１８】
可動機構部１８は、本体ケース１１の一部分（表示部１４を含む側）と本体ケース１１のもう一方の部分（操作部１５を含む側）とを水平回転可能に支持する。これにより、たとえば図１（ａ）のように閉じられた状態から本体ケース１１の表示部側を一方向に水平回転させることにより、図１（ｂ）のとおり開けられた状態とすることが可能となる。
【００１９】
撮像処理部１９は、対物レンズ１９１，１９２と撮像処理回路１９３を備えて構成され、２系統の画像取り込み機構を有している。
第１の系統は、対物レンズ１９１含み、図２（ａ）の手前側にある被写体の画像を取り込むために機能する。すなわち、第１の系統は、相手側撮影のために機能する。
また、第２の系統は、対物レンズ１９２を含み、図１（ｂ）の手前側にある被写体の画像を取り込むために機能する。すなわち、第２の系統は、ユーザ側撮影のために機能する。
【００２０】
対物レンズ１９１は、図２（ａ）に示すとおり、暗所で十分な輝度の画像を取り込めるように、ＬＥＤ２０４やストロボ光源２０２といった光源に近接して配置され、撮像処理回路１９３内の撮像素子（図示しない）上に被写体の光学像（以下、単に像）を結像する。対物レンズ１９１は、相手側撮影用であるため、比較的焦点距離は長く、７０ｃｍ程度である。
【００２１】
対物レンズ１９２は、図１（ｂ）に示すとおり、携帯電話機１の前面に表示部１４や操作部１５を避けて配置され、撮像処理回路１９３内の撮像素子（図示しない）上に被写体の像を結像する。対物レンズ１９１は、ユーザ側撮影用であり、通常腕の長さ以上離れた被写体を取り込む場合は少ないので、その焦点距離は、対物レンズ１９１の焦点距離より短く、４０ｃｍ程度である。
【００２２】
撮像処理回路１９３は、対物レンズ１９１，１９２により結像された被写体の像を電気信号に変換する。
具体的には、撮像処理回路１９３は撮像素子を有し、被写体の像は、その撮像素子の２次元平面上に画素単位で配置される複数の受光素子に取り込まれる。その際、受光素子上のカラーフィルタを通して、色の情報を光の３原色に分解して取り込まれる。そして、各画素の輝度値が電圧に変換され、順にＡ／Ｄ変換器によってディジタルデータに変換されて、制御回路２１に供給される。
撮像素子としては、公知の技術としてＣＣＤ型とＣＭＯＳ型等が知られており、本実施形態においては、たとえば、第１の系統（相手側撮影）のための撮像素子としてＣＣＤ型を、第２の系統（ユーザ側撮影）のための撮像素子としてＣＭＯＳ型を適用することが考えられるが、これに拘泥せず、第１の系統および第２の系統のどちらに対してもＣＣＤ型またはＣＭＯＳ型を適用してもよい。
【００２３】
発光部２０は、ストロボ駆動回路２０１と、第１の光源としてのストロボ光源２０２と、ＬＥＤ駆動回路２０３と、第２の光源としてのＬＥＤ２０４と、第３の光源としてのＬＥＤ２０５と、光センサ２０６を備えて構成される。
ここで、ストロボ光源２０２とＬＥＤ２０４は、相手側撮影のために発光し、ＬＥＤ２０５は、ユーザ側撮影のために発光する。
【００２４】
ストロボ駆動回路２０１は、ストロボ光源２０２を閃光発光させる電力を充電するコンデンサを有するストロボ充電回路と、制御回路２１からの制御に応じてストロボ光源２０２を閃光発光させる制御回路であるストロボ発光回路を含んで構成される。
【００２５】
ストロボ光源２０２は、対物レンズ１９１が暗所で十分な輝度の画像を取り込めるように、対物レンズ１９１と近接して配置され、制御回路２１の閃光発光する。
ストロボ光源２０２を一度発光させてから再度発光させるためには、ストロボ駆動回路２０１において再発光のためにコンデンサを充電する時間を必要とするため、静止画の連続撮影（連写撮影）や動画撮影においては、ストロボ光源２０２の使用が難しい。したがって、ストロボ光源２０２は、静止画撮影に対してのみ使用される。
また、上述したように、ストロボ光源２０２は、相手側撮影（第１の系統）時のみ使用可能である。
【００２６】
ＬＥＤ駆動回路２０３は、パルス発生回路および各ＬＥＤ２０４，２０５を電流駆動するためのトランジスタ等から構成される。後述するように、各ＬＥＤ２０４，２０５は、それぞれ３個の独立したＬＥＤ（Ｒ（赤），Ｇ（緑），Ｂ（青））を有しており、ＬＥＤ駆動回路２０３は、制御回路２１の指示に応じて、これら６個のＬＥＤをすべて独立に駆動する。
【００２７】
ＬＥＤ２０４は、対物レンズ１９１が暗所で十分な輝度の画像を取り込めるように、対物レンズ１９１と近接して配置され、ＬＥＤ駆動回路２０３が駆動する電流に応じて、発光する。
そして、Ｒ（赤），Ｇ（緑），Ｂ（青）の３個の独立したＬＥＤを含み、制御回路２１により、それぞれ独立に駆動制御される結果、それらの色（ＲＧＢ）が組み合わされた色を発光する。たとえば、暗所で被写体を照射する場合には、上記３原色がすべて発光することにより、最も輝度の高い色（通常は白色）を発光するように制御される。
ＬＥＤ２０４は、上述したストロボ光源２０２のようにコンデンサによる充電時間を考慮する必要がなく、ＬＥＤ駆動回路２０３に含まれるトランジスタ等を連続的に駆動させることで、連続発光が可能なことから、連写撮影や動画撮影に対しても使用可能である。  また、ＬＥＤ２０４は、相手側撮影（第１の系統）時のみ使用可能である。
【００２８】
ＬＥＤ２０５は、携帯電話機１の前面に表示部１４や操作部１５を避けて配置され、ＬＥＤ駆動回路２０３が駆動する電流に応じて、発光する。そして、Ｒ（赤），Ｇ（緑），Ｂ（青）の３個の独立したＬＥＤを含み、制御回路２１により、それぞれ独立に駆動制御される結果、それらの色（ＲＧＢ）が組み合わされた色を発光する。たとえば、暗所で被写体を照射する場合には、上記３原色がすべて発光することにより、最も輝度の高い色（通常は白色）を発光するように制御される。
ＬＥＤ２０５は、上述したストロボ光源２０２のようにコンデンサによる充電時間を考慮する必要がなく、ＬＥＤ駆動回路２０３に含まれるトランジスタ等を連続的に駆動させることで、連続発光が可能なことから、連写撮影や動画撮影に対しても使用可能である。  また、ＬＥＤ２０５は、ユーザ側撮影（第２の系統）時のみ使用可能である。
【００２９】
光センサ２０６は、フォトダイオード等を含んで構成され、携帯電話機１の周囲の明るさ（明度）を検知して電圧に変換し、制御回路２１に出力する。これにより、ライト設定がオート状態の場合のストロボ光源２０２の発光／非発光が制御される。
【００３０】
制御回路２１は、ＣＰＵ(Central Processing Unit) を主体して構成されて携帯電話機１の全体の制御を行う。たとえば、制御回路２１は、通信部１２における各種情報の無線による送受信の制御、音声処理部１３に対する音声情報の処理、表示部１４への情報の表示制御、操作部１５の入力情報に応じた処理、およびメモリ１６への処理に応じたアクセス制御等を行う。
【００３１】
制御回路２１は、撮像処理回路１９３により生成され、供給される画像のディジタルデータ（輝度値）をカラー画像に再構成し、表示部１４に表示させる。
制御回路２１は、操作部１５による入力に基づいて選択される複数の撮影モードに応じた制御を行う。
すなわち、上述したとおり、本実施形態に係る携帯電話機１は、第１の系統（相手側撮影）および第２の系統（ユーザ側撮影）の異なった方向のカメラ撮影が可能な構造となっており、静止画モードと連写モード（連続した静止画撮影を行うモード）と動画モードの３種類の撮影モードが選択可能である。そこで、制御回路２１は、これらの撮影モードの切り替え制御，画像制御（画像生成、画像圧縮等）を行う。
また、本実施形態に係る携帯電話機１は、上記の各撮影モードに対してセルフタイマの設定が可能である。制御回路２１はタイマ（図示しない）を備え、セルフタイマでの撮影においては、タイマのカウントに基づいて撮影のタイミングを制御する。
【００３２】
また、制御回路２１は、撮影キー１５ｆの１つに割り当てられたライト設定ボタンの入力および上記撮影モードに基づいて、ＬＥＤ２０４，１９５，ストロボ光源２０２の発光／非発光を制御する。
また、後述するように、ライト設定がオート状態の場合は、制御回路２１は、光センサ２０６から供給される携帯電話機１の周囲の明度に応じた出力電圧に応じて、ストロボ光源２０２の発光を制御する。
また、制御回路２１は、生成された画像データの画像圧縮処理を行ってデータ量の削減を行ったうえで、メモリ１６またはメモリカード等の外部メディア（図示しない）に記憶させる。
【００３３】
以上、携帯電話機１の各構成要素について説明した。
次に、携帯電話機１の基本的な撮影動作について説明するが、まず、その前に各撮影モード，ライト設定および撮影方向の切り替え制御について説明しておく。
【００３４】
各撮影モード，ライト設定および撮影方向の切り替え制御
まず、各撮影モードの切り替えについて説明する。
ユーザが所定の操作を行い、カメラ撮影モードに移行すると、まずデフォルトとして、静止画撮影モードとなると同時に、後述するモニタ動作を開始して、画像を取り込んで表示部１４に表示される。
メモリ１６には、撮影モードの管理のために撮影モードデータが用意されており、この撮影モードデータには、静止画撮影モード，連写撮影モードおよび動画撮影モードの各モードに対するフラグデータが含まれている。デフォルトの設定としては、静止画撮影モードが「１」（１：有効，０：無効）となっており、他の撮影モードは「０」（無効）である。
そして、制御回路２１は、ユーザによりカメラ撮影モードに移行すると、メモリ１６に記憶された撮影モードデータをチェックし、「１」（有効）である静止画撮影モードを選択する。
ユーザが、たとえば連写撮影を希望する場合は、表示部１４上のサブメニュ−を操作して、連写撮影モードを選択すると、その選択入力に応じて、制御回路２１が、撮影モードデータに対するフラグデータを書き換え、以後、更新された撮影モードデータに基づき、携帯電話機１は連写撮影モ−ドとして機能する。ただし、カメラ撮影モードを一度終了して、再度所定の操作を行ってカメラ撮影モードに入る場合は、撮影モードデータはデフォルトの設定とする。
【００３５】
次に、ライト設定（発光設定）の切り替えについて説明する。
本実施形態に係る携帯電話機１では、ユーザは、撮影時における発光を要求するか否かについて、ライト設定により設定することが可能である。
静止画撮影モードおよび連写撮影モードのためのライト設定としては、撮影時の光源発光を要求するモード（オン状態）、撮影時の光源発光を要求しないモード（オフ状態）および光源の発光を自動選択させるモード（オート状態）の３つの状態が存在し、動画撮影モードのためのライト設定としては、オン状態とオフ状態の２つの状態が存在する。
撮影キー１５ｆに割り付けられたライト設定ボタンを押下すると、順に、オン（ＯＮ），オフ（ＯＦＦ），オートが切り替わるように構成される。
メモリ１６内には、ライト設定の管理のためにライト設定データが用意されており、このライト設定データには、オン（ＯＮ），オフ（ＯＦＦ），オートの各設定状態に対するフラグデータが含まれている。デフォルトの設定としては、オフ状態が「１」（１：有効，０：無効）となっており、他の状態は「０」（無効）である。
ユーザが、たとえばライト設定のオン状態を希望する場合は、ライト設定ボタンを押下して、オン状態を選択すると、その選択入力に応じて、制御回路２１が、ライト設定データに対するフラグデータを書き換え、以後、更新されたライト設定データに基づき、携帯電話機１はライト設定をオン状態として機能する。
また、ライト設定ボタンの代わりに、操作部１５の所定のキー操作によって、表示部１４上にサブメニューを表示させ、そのサブメニューにより、オン（ＯＮ），オフ（ＯＦＦ），オートを選択させるように構成してもよい。
【００３６】
次に、撮影方向の切り替えについて説明する。
前述したとおり、携帯電話機１は、被写体や景色等を撮影する場合（相手側撮影）と自己の画像を撮影する場合（ユーザ側撮影）との相対する２方向のカメラ撮影が可能であるため、撮影方向について、メモリ１６内の撮影方向フラグで管理される。
撮影方向フラグは、２値のフラグデータ（１：相手側撮影，０：ユーザ側撮影）であり、デフォルト状態は、たとえば、「１」（相手側撮影）である。
制御回路２１は、ユーザによる操作部１５の所定のキー操作により、カメラ撮影モードに移行すると、メモリ１６内の上記撮影方向フラグをチェックし、選択された撮影方向に応じて、撮像処理回路１９３を制御する。たとえば、撮影方向フラグが「１」（相手側撮影）の場合は、制御回路２１は、撮像処理回路１９３が対物レンズ１９１を含む第１の系統を動作させて画像を取り込むように、制御する。
相手側撮影の状態から、ユーザがユーザ側撮影を行う場合、ユーザは、操作部１５のサブメニューを操作することにより、ユーザ側撮影へ切り替えることが可能となる。ユーザによりユーザ側撮影が選択されると、制御回路２１は、メモリ１６内の撮影方向フラグを「０」（ユーザ側撮影）に書き換える。これにより、制御回路２１は、ユーザ側撮影を行うように、撮像処理回路１９３を制御する。
【００３７】
また、携帯電話機１に、本体ケース１１が開けられているか（図１（ｂ）の状態）、または、閉じられているか（図１（ａ）の状態）を検知するためのスイッチ機構やセンサ等の開閉検出機構を備え、その検出結果に応じて、相手側撮影またはユーザ側撮影を選択するように、制御回路２１を構成してもよい。すなわち、開閉検出機構の出力結果に基づいて、本体ケース１１が開けられていると判断した場合には、ユーザ側撮影を選択し、本体ケース１１が閉じられていると判断した場合には、相手側撮影を選択するように制御する。
【００３８】
次に、本実施形態における携帯電話機１の下記の基本的な撮影動作について説明する。本願発明は、光源の制御に特徴があるため、特にこの点について説明する。
上述したとおり、ユーザによる所定の操作により、カメラ撮影モードに移行すると、メモリ１６内の撮影方向フラグおよび撮影モードデータに基づいて、制御回路２１は、相手側撮影またはユーザ側撮影のための以下の撮影モードを決定する。ただし、撮影モードのデフォルト設定は、静止画撮影モードである。
撮影モード１：静止画撮影モード
撮影モード２：連写撮影モード
撮影モード３：動画撮影モード
また、それぞれの撮影モードについてセルフタイマ撮影が可能である。
【００３９】
したがって、撮影動作としては、下記のケースが考えられる。
（Ａ）相手側撮影
（Ａ−１）モニタ  →  静止画撮影
（Ａ−２）モニタ  →  連写（連続静止画）撮影
（Ａ−３）モニタ  →  動画（ムービー）撮影
（Ａ−４）モニタ  →  セルフタイマ撮影
（Ｂ）ユーザ側撮影
（Ｂ−１）モニタ  →  静止画撮影
（Ｂ−２）モニタ  →  連写（連続静止画）撮影
（Ｂ−３）モニタ  →  動画（ムービー）撮影
（Ｂ−４）モニタ  →  セルフタイマ撮影
まず、モニタ時の動作については、上記すべての動作について共通しているので、先に説明しておく。
【００４０】
以下、相手側撮影の場合でのモニタ時の動作について説明する。
モニタ動作において、制御回路２１は、撮像処理回路１９３に対して撮像の開始を指示し、撮像処理回路１９３は、対物レンズ１９１により結像されたＣＣＤ上の被写体の像を電気信号に変換する。
すなわち、被写体の像による光情報が、所定の画素単位でＣＣＤ上の２次元平面上に配置された複数の受光素子に取り込まれる。その際、受光素子上のカラーフィルタを通して、色の情報を光の３原色に分解して取り込まれる。そして、各画素の輝度値が電圧に変換され、順にＡ／Ｄ変換器によってディジタルデータ（輝度値）に変換され、制御回路２１に供給される。
制御回路２１では、撮像処理回路１９３により供給される画像のディジタルデータ（輝度値）をカラー画像に再構成し、表示部１４に表示させる。撮像処理回路１９３から供給される輝度値データは、所定のタイミング毎に順次供給され、制御回路２１では、供給される輝度値データの順に処理する。これにより、ユーザは、表示部１４を通して、被写体の画像を視認することができる。
【００４１】
モニタ動作中には、ユーザは、撮影キー１５ｆの所定のキーに割り付けられたライト設定ボタンを操作することにより、撮影時のライト設定（発光設定）を選択することができる。
【００４２】
モニタ時において、ライト設定としてオン状態が選択されると、制御回路２１は、ＬＥＤ駆動回路２０３を駆動してＬＥＤ２０４を白色に発光させる。すなわち、制御回路２１は、ＬＥＤ２０４に含まれるＲ（赤），Ｇ（緑），Ｂ（青）の３個のＬＥＤすべてに駆動電流が流れるように、ＬＥＤ駆動回路２０３を制御する。
モニタ時において、ライト設定としてオフ状態が選択されると、制御回路２１は、ＬＥＤ駆動回路２０３を駆動せず、したがって、ＬＥＤ２０４を白色は発光しない。
同様に、モニタ時において、ライト設定としてオート状態が選択されると、制御回路２１は、ＬＥＤ駆動回路２０３を駆動せず、したがって、ＬＥＤ２０４を白色は発光しない。これは、モニタ時における消費電流の節約を考慮したものである。
【００４３】
以上説明したように、オン状態であるライト設定に応じて、ＬＥＤ２０４を白色発光、すなわち、最も輝度の高い色に発光させることにより、対物レンズ１９１が被写体の像を鮮明に生成することができ、したがってユーザは、暗所においても表示部１４を通して被写体をより鮮明に捉えることが可能となる。
【００４４】
ユーザ側撮影の場合のモニタ時の動作は、ＬＥＤ駆動回路２０３が駆動するＬＥＤがＬＥＤ２０５である点を除けば、上述した相手側撮影の場合と同様である。
【００４５】
以上、モニタ時の動作について説明したので、モニタ時から各撮影動作に移行する場合の各光源に対する制御について、以下フローチャートを参照しながら説明する。
（Ａ）相手側撮影
制御回路２１が、メモリ１６内の撮影方向フラグをチェックして、「１」（１：相手側撮影，０：ユーザ側撮影）である場合には、相手側撮影が選択される。
（Ａ−１）モニタ  →  静止画撮影
図４は、撮影モードデータに基づき、各撮影モードの中から静止画撮影モード（撮影モード１）を選択した場合において、各光源に対する制御を説明するためのフローチャートである。以下、フローチャートの各ステップに沿って、動作を説明する。
【００４６】
携帯電話機１がモニタ動作の状態から、ユーザが撮影キー１５ｆに割り付けられたシャッターボタンを押下（操作）すると（ステップＳＴ１０）、制御回路２１は、モニタ時においてユーザによりセットされたライト設定をチェックし（ステップＳＴ１１）、シャッターボタンが押下されたタイミングをトリガとして以下の処理を行う。
すなわち、ライト設定がオン状態（ＯＮ）の場合は、制御回路２１は、ストロボ駆動回路２０１を制御してストロボ光源２０２を閃光発光させる。同時に、シャッターボタンが押下されたタイミングをトリガとして以下の処理を行う。
すなわち、撮像処理回路１９３は、対物レンズ１９１より取り込まれた像に基づいて輝度値のディジタルデータを生成し、制御回路２１は、その輝度値のディジタルデータを、上記トリガが発生したタイミングに応じて、カラー画像に再構成してバッファに取り込む（ステップＳＴ１２）。なお、トリガが発生したタイミングにおいて、モニタ時に白色発光したＬＥＤ２０４が消灯するように、制御回路２１は、ＬＥＤ駆動回路２０３を制御する。
【００４７】
その後、制御回路２１は、ＬＥＤ駆動回路２０３を駆動してＬＥＤ２０４を赤色に１秒間発光させる（ステップＳＴ１５）。すなわち、制御回路２１は、ＬＥＤ２０４に含まれるＲ（赤），Ｇ（緑），Ｂ（青）の３個のＬＥＤのうち、Ｒ（赤）のＬＥＤだけに駆動電流が１秒間流れるように、ＬＥＤ駆動回路２０３を制御する。これにより、被写体に相当する人は、撮影が終了して現在画像処理中であることを視認することができる。
【００４８】
ここで、ＬＥＤ２０４を赤色に発光させるタイミングは、取り込んだ像に赤色が写り込まないように、画像をバッファに取り込んだ後であることが必要である。また、画像を取り込んだ後に発光させる色は、必ずしも赤色である必要はなく、ＬＥＤ２０４の３個（Ｒ，Ｇ，Ｂ）のＬＥＤに対する駆動電流を制御することにより、白色以外の被写体等が視認しやすい色を発光させるようにしてもよい。
バッファに取り込まれた画像データは、ユーザの所定の操作により、圧縮されてメモリ１６に記憶される。
【００４９】
ステップＳＴ１１においてライト設定がオフ状態（ＯＦＦ）の場合には、制御回路２１は、シャッターボタンが押下されたタイミングをトリガとして以下の処理を行う。
すなわち、制御回路２１は、ストロボ光源２０２を閃光発光させない。同時に、シャッターボタンが押下されたタイミングをトリガとして以下の処理を行う。
すなわち、撮像処理回路１９３は、対物レンズ１９１より取り込まれた像に基づいて輝度値のディジタルデータを生成し、制御回路２１は、その輝度値のディジタルデータを、上記トリガが発生したタイミングに応じて、カラー画像に再構成してバッファに取り込む（ステップＳＴ１３）。
【００５０】
その後、制御回路２１は、ＬＥＤ駆動回路２０３を駆動してＬＥＤ２０４を赤色に１秒間発光させる（ステップＳＴ１５）。すなわち、制御回路２１は、ＬＥＤ２０４に含まれるＲ（赤），Ｇ（緑），Ｂ（青）の３個のＬＥＤのうち、Ｒ（赤）のＬＥＤだけに駆動電流が１秒間流れるように、ＬＥＤ駆動回路２０３を制御する。これにより、被写体に相当する人は、撮影が終了して現在画像処理中であることを視認することができる。
【００５１】
ここで、ＬＥＤ２０４を赤色に発光させるタイミングは、取り込んだ像に赤色が写り込まないように、撮影した画像をバッファに取り込んだ後であることが必要である。また、撮影した画像を取り込んだ後に発光させる色は、必ずしも赤色である必要はなく、ＬＥＤ２０４の３個（Ｒ，Ｇ，Ｂ）のＬＥＤに対する駆動電流を制御することにより、白色以外の被写体等が視認しやすい色を発光させるようにしてもよい。
バッファに取り込まれた画像データは、ユーザの所定の操作により、圧縮されてメモリ１６に記憶される。
【００５２】
ステップＳＴ１１においてライト設定がオート状態の場合に、制御回路２１は、シャッターボタンの押下されたタイミングをトリガとして以下の処理を行う。
すなわち、制御回路２１は、光センサ２０６の出力信号が所定値を下回る場合（ステップＳＴ１４）、つまり、携帯電話機１の周囲が暗いと判断した場合は、ストロボ駆動回路２０１を制御してストロボ光源２０２を閃光発光させる。同時に、シャッターボタンが押下されたタイミングをトリガとして以下の処理を行う。
すなわち、撮像処理回路１９３は、対物レンズ１９１より取り込まれた像に基づいて輝度値のディジタルデータを生成し、制御回路２１は、その輝度値のディジタルデータを、上記トリガが発生したタイミングに応じて、カラー画像に再構成してバッファに取り込む（ステップＳＴ１２）。なお、トリガが発生したタイミングにおいて、モニタ時に白色発光したＬＥＤ２０４が消灯するように、制御回路２１は、ＬＥＤ駆動回路２０３を制御する。
【００５３】
また、制御回路２１は、光センサ２０６の出力信号が所定値以上である場合（ステップＳＴ１４）、つまり、携帯電話機１の周囲が明るいと判断した場合は、ストロボ光源２０２を閃光発光させない。同時に、シャッターボタンが押下されたタイミングをトリガとして以下の処理を行う。
すなわち、撮像処理回路１９３は、対物レンズ１９１より取り込まれた像に基づいて輝度値のディジタルデータを生成し、制御回路２１は、その輝度値のディジタルデータを、上記トリガが発生したタイミングに応じて、カラー画像に再構成してバッファに取り込む（ステップＳＴ１３）。
【００５４】
その後、制御回路２１は、ＬＥＤ駆動回路２０３を駆動してＬＥＤ２０４を赤色に１秒間発光させる。すなわち、制御回路２１は、ＬＥＤ２０４に含まれるＲ（赤），Ｇ（緑），Ｂ（青）の３個のＬＥＤのうち、Ｒ（赤）のＬＥＤだけに駆動電流が１秒間流れるように、ＬＥＤ駆動回路２０３を制御する。これにより、被写体に相当する人は、撮影が終了して現在画像処理中であることを視認することができる。
【００５５】
ここで、ＬＥＤ２０４を赤色に発光させるタイミングは、取り込んだ像に赤色が写り込まないように、画像をバッファに取り込んだ後であることが必要である。また、画像を取り込んだ後に発光させる色は、必ずしも赤色である必要はなく、ＬＥＤ２０４の３個（Ｒ，Ｇ，Ｂ）のＬＥＤに対する駆動電流を制御することにより、白色以外の被写体等が視認しやすい色を発光させるようにしてもよい。
バッファに取り込まれた画像データは、ユーザの所定の操作により、圧縮されてメモリ１６に記憶される。
【００５６】
（Ａ−２）モニタ  →  連写（連続静止画）撮影
図５は、撮影モードデータに基づき、各撮影モードの中から連写撮影モード（撮影モード２）を選択した場合において、各光源に対する制御を説明するためのフローチャートである。以下、フローチャートの各ステップに沿って、動作を説明する。
【００５７】
携帯電話機１がモニタ動作の状態から、ユーザが撮影キー１５ｆに割り付けられたシャッターボタンを押下（操作）すると（ステップＳＴ２０）、制御回路２１は、モニタ時においてユーザによりセットされたライト設定をチェックし（ステップＳＴ２１）、シャッターボタンが押下されたタイミングをトリガとして以下の処理を行う。
ライト設定がオン状態（ＯＮ）の場合は、ストロボ駆動回路２０１の充電時間を考慮するとストロボ光源２０２を連写撮影に使用することができないので、制御回路２１は、ＬＥＤ駆動回路２０３を駆動してＬＥＤ２０４を白色発光、すなわち、最も輝度の高い色に発光させ始める（ステップＳＴ２２）。同時に、シャッターボタンが押下されたタイミングをトリガとして以下の処理を行う。
【００５８】
すなわち、撮像処理回路１９３は、対物レンズ１９１より取り込まれた像に基づいて輝度値のディジタルデータを生成し、制御回路２１は、その輝度値のディジタルデータを、上記トリガが発生したタイミングを基準に所定の時間間隔で順次、カラー画像に再構成してバッファに取り込む（ステップＳＴ２２）。
本実施形態においては、連続９個までの画像をバッファに取り込み、その間、制御回路２１は、ＬＥＤ２０４を白色発光させ続け、９個の画像をバッファに取り込んだ後にＬＥＤ２０４を消灯させる。
バッファに取り込まれた９個の画像データは、ユーザの所定の操作により、圧縮されてメモリ１６に記憶される。
【００５９】
ステップＳＴ２１においてライト設定がオフ状態（ＯＦＦ）の場合には、制御回路２１は、ＬＥＤ駆動回路２０３を駆動してＬＥＤ２０４を赤色に発光させ始める（ステップＳＴ２３）。同時に、シャッターボタンが押下されたタイミングをトリガとして以下の処理を行う。
すなわち、撮像処理回路１９３は、対物レンズ１９１より取り込まれた像に基づいて輝度値のディジタルデータを生成し、制御回路２１は、その輝度値のディジタルデータを、上記トリガが発生したタイミングを基準に所定の時間間隔で順次、カラー画像に再構成してバッファに取り込む（ステップＳＴ２３）。
本実施形態においては、連続９個までの画像をバッファに取り込み、その間、制御回路２１は、ＬＥＤ２０４を赤色発光させ続け、９個の画像をバッファに取り込んだ後にＬＥＤ２０４を消灯させる。
【００６０】
ここで、ライト設定がオフ状態である場合、連写撮影中にＬＥＤ２０４に発光させる色は、必ずしも赤色である必要はなく、ＬＥＤ２０４の３個（Ｒ，Ｇ，Ｂ）のＬＥＤに対する駆動電流を制御することにより、白色以外であって、被写体に相当する人が連写撮影中であることを視認しやすい色に発光させるようにすればよい。
バッファに取り込まれた９個の画像データは、ユーザの所定の操作により、圧縮されてメモリ１６に記憶される。
【００６１】
ステップＳＴ１１においてライト設定がオート状態の場合は、制御回路２１は、ライト設定がオフ状態である場合と同様に動作し、連写撮影中は、ＬＥＤ駆動回路２０３を駆動してＬＥＤ２０４を赤色に点灯させる。
【００６２】
（Ａ−３）モニタ  →  動画（ムービー）撮影
図６は、撮影モードデータに基づき、各撮影モードの中から動画撮影モード（撮影モード３）を選択した場合において、各光源に対する制御を説明するためのフローチャートである。以下、フローチャートの各ステップに沿って、動作を説明する。
【００６３】
携帯電話機１がモニタ動作の状態から、ユーザが撮影キー１５ｆに割り付けられたシャッターボタンを押下（操作）すると（ステップＳＴ３０）、制御回路２１は、モニタ時においてユーザによりセットされたライト設定をチェックし（ステップＳＴ３１）、シャッターボタンが押下されたタイミングをトリガとして以下の処理を行う。
ライト設定がオン状態（ＯＮ）の場合は、ストロボ駆動回路２０１の充電時間を考慮するとストロボ光源２０２を動画撮影に使用することができないので、制御回路２１は、ＬＥＤ駆動回路２０３を駆動してＬＥＤ２０４を白色発光、すなわち、最も輝度の高い色に発光させ始める（ステップＳＴ３２）。同時に、シャッターボタンが押下されたタイミングをトリガとして以下の処理を行う。
【００６４】
すなわち、撮像処理回路１９３は、対物レンズ１９１より取り込まれた像に基づいて輝度値のディジタルデータを生成し、制御回路２１は、その輝度値のディジタルデータを、上記トリガが発生したタイミングを基準に所定のフレーム周期で順次、カラー画像の各フレームに再構成した動画データをバッファに取り込む（ステップＳＴ３２）。
動画データのバッファへの取り込みは、撮影キー１５ｆに割り付けられた録画停止ボタンが押下されるまで行われる（ステップＳＴ３３）。また、動画データをバッファに取り込む間、制御回路２１は、ＬＥＤ２０４を白色発光させ続け、撮影キー１５ｆが押下されて動画データのバッファへの取り込みが終了すると、ＬＥＤ２０４を消灯させる（ステップＳＴ３６）。
バッファに取り込まれた動画データは、ユーザの所定の操作により、圧縮されてメモリ１６に記憶される。
【００６５】
ステップＳＴ３１において、ライト設定がオフ状態（ＯＦＦ）の場合は、制御回路２１は、ＬＥＤ駆動回路２０３を駆動してＬＥＤ２０４を赤色に発光させ始める（ステップＳＴ３４）。同時に、シャッターボタンが押下されたタイミングをトリガとして以下の処理を行う。
すなわち、撮像処理回路１９３は、対物レンズ１９１より取り込まれた像に基づいて輝度値のディジタルデータを生成し、制御回路２１は、その輝度値のディジタルデータを、上記トリガが発生したタイミングを基準に所定のフレーム周期で順次、カラー画像の各フレームに再構成した動画データをバッファに取り込む（ステップＳＴ３４）。
動画データのバッファへの取り込みは、撮影キー１５ｆに割り付けられた録画停止ボタンが押下されるまで行われる（ステップＳＴ３５）。また、動画データをバッファに取り込む間、制御回路２１は、ＬＥＤ２０４を赤色発光させ続け、撮影キー１５ｆが押下されて動画データのバッファへの取り込みが終了すると、ＬＥＤ２０４を消灯させる（ステップＳＴ３６）。
【００６６】
ここで、ライト設定がオフ状態である場合、動画撮影中にＬＥＤ２０４に発光させる色は、必ずしも赤色である必要はなく、ＬＥＤ２０４の３個（Ｒ，Ｇ，Ｂ）のＬＥＤに対する駆動電流を制御することにより、白色以外であって、被写体に相当する人が動画撮影中であることを視認しやすい色に発光させるようにすればよい。
バッファに取り込まれた動画データは、ユーザの所定の操作により、圧縮されてメモリ１６に記憶される。
なお、本実施形態において、動画撮影モードの場合は、オート状態の設定はない。
また、ステップＳＴ３３とステップＳＴ３５において、動画撮影は、停止ボタンを押下した時にのみ停止するだけでなく、無線通信事業者が決定するデータ量（電子メールに添付可能な最大のデータ量）分が動画データとしてバッファに蓄積された時点で、自動停止するように構成してもよい。
【００６７】
（Ａ−４）モニタ  →  セルフタイマ撮影
図７は、ユーザがセルフタイマ撮影を行う場合において、各光源に対する制御を説明するためのフローチャートである。以下、フローチャートの各ステップに沿って、動作を説明する。
【００６８】
ユーザが撮影キー１５ｆに割り当てられた所定のキーを操作して、セルフタイマ機能を選択しシャッターボタンが押下されると（ステップＳＴ４０）、制御回路２１に内蔵されたタイマがカウントをスタートする（ステップＳＴ４１）。
そして、タイマのカウントが所定時間経過するまで（ステップＳＴ４２）、制御回路２１は、ＬＥＤ駆動回路２０３を駆動して、ＬＥＤ２０４を赤色に点滅させる（ステップＳＴ４３）。
【００６９】
赤色点滅は、たとえば、カウントスタート後７秒間は、５００ｍｓ点灯／５００ｍｓ消灯を繰り返し、その後の３秒間は、２５０ｍｓ点灯／２５０ｍｓ消灯を繰り返すことにより、被写体に相当する人が撮影による画像取り込みタイミングを認識しやすいようにして行う。そして、制御回路２１は、このタイミングでＬＥＤ２０４に含まれる赤（Ｒ）用ＬＥＤに駆動電流が流れるように、ＬＥＤ駆動回路２０３を制御する。
タイマがカウントをスタートしてから所定時間（上記タイミング例では、１０秒）が経過すると、タイマのカウントをリセットして（ステップＳＴ４４）、事前に選択された撮影モード１〜３（静止画、連写、動画）の撮影を行う。
【００７０】
ここで、タイマがカウント中にＬＥＤ２０４に点滅発光させる色は、必ずしも赤色である必要はなく、ＬＥＤ２０４の３個（Ｒ，Ｇ，Ｂ）のＬＥＤに対する駆動電流を制御することにより、白色以外であって、被写体に相当する人がセルフタイマのカウント中であることを視認しやすい色に発光させるようにすればよい。
【００７１】
（Ｂ）ユーザ側撮影
制御回路２１が、メモリ１６内の撮影方向フラグをチェックして、「０」（１：相手側撮影，０：ユーザ側撮影）である場合には、ユーザ側撮影が選択される。
（Ｂ−１）モニタ  →  静止画撮影
図８は、撮影モードデータに基づき、各撮影モードの中から静止画撮影モード（撮影モード１）を選択した場合において、各光源に対する制御を説明するためのフローチャートである。以下、フローチャートの各ステップに沿って、動作を説明する。
【００７２】
携帯電話機１がモニタ動作の状態から、ユーザが撮影キー１５ｆに割り付けられたシャッターボタンを押下（操作）すると（ステップＳＴ５０）、制御回路２１は、モニタ時においてユーザによりセットされたライト設定をチェックし（ステップＳＴ５１）、シャッターボタンが押下されたタイミングをトリガとして以下の処理を行う。
すなわち、ライト設定がオン状態（ＯＮ）の場合は、制御回路２１は、ＬＥＤ駆動回路２０３を制御してＬＥＤ２０５を白色、つまり、最も輝度の高い色に発光させる。制御回路２１は、ＬＥＤ２０５に含まれるＲ（赤），Ｇ（緑），Ｂ（青）の３個のＬＥＤすべてに駆動電流が流れるように、ＬＥＤ駆動回路２０３を制御し、これにより、ＬＥＤ２０５は白色に発光する。
【００７３】
ＬＥＤ２０５が白色に発光するタイミングと同時に、シャッターボタンが押下されたタイミングをトリガとして以下の処理を行う。
すなわち、撮像処理回路１９３は、対物レンズ１９２より取り込まれた像に基づいて輝度値のディジタルデータを生成し、制御回路２１は、その輝度値のディジタルデータを、上記トリガが発生したタイミングに応じて、カラー画像に再構成してバッファに取り込む（ステップＳＴ５２）。
【００７４】
その後、制御回路２１は、ＬＥＤ駆動回路２０３を駆動してＬＥＤ２０５を赤色に１秒間発光させる（ステップＳＴ５４）。すなわち、制御回路２１は、ＬＥＤ２０５に含まれるＲ（赤），Ｇ（緑），Ｂ（青）の３個のＬＥＤのうち、Ｒ（赤）のＬＥＤだけに駆動電流が１秒間流れるように、ＬＥＤ駆動回路２０３を制御する。これにより、ユーザは、撮影が終了して現在画像処理中であることを視認することができる。
【００７５】
ここで、ＬＥＤ２０５を赤色に発光させるタイミングは、取り込んだ像に赤色が写り込まないように、画像をバッファに取り込んだ後であることが必要である。また、画像を取り込んだ後に発光させる色は、必ずしも赤色である必要はなく、ＬＥＤ２０５の３個（Ｒ，Ｇ，Ｂ）のＬＥＤに対する駆動電流を制御することにより、白色以外の被写体等が視認しやすい色を発光させるようにしてもよい。
バッファに取り込まれた画像データは、ユーザの所定の操作により、圧縮されてメモリ１６に記憶される。
【００７６】
ステップＳＴ５１においてライト設定がオフ状態（ＯＦＦ）の場合には、制御回路２１は、シャッターボタンが押下されたタイミングをトリガとして以下の処理を行う。
すなわち、制御回路２１は、ＬＥＤ２０５を発光させずに、シャッターボタンが押下されたタイミングをトリガとして以下の処理を行う。
すなわち、撮像処理回路１９３は、対物レンズ１９２より取り込まれた像に基づいて輝度値のディジタルデータを生成し、制御回路２１は、その輝度値のディジタルデータを、上記トリガが発生したタイミングに応じて、カラー画像に再構成してバッファに取り込む（ステップＳＴ５３）。
【００７７】
その後、制御回路２１は、ＬＥＤ駆動回路２０３を駆動してＬＥＤ２０５を赤色に１秒間発光させる（ステップＳＴ５４）。すなわち、制御回路２１は、ＬＥＤ２０５に含まれるＲ（赤），Ｇ（緑），Ｂ（青）の３個のＬＥＤのうち、Ｒ（赤）のＬＥＤだけに駆動電流が１秒間流れるように、ＬＥＤ駆動回路２０３を制御する。これにより、被写体に相当するは、撮影が終了して現在画像処理中であることを視認することができる。
【００７８】
ここで、ＬＥＤ２０５を赤色に発光させるタイミングは、取り込んだ像に赤色が写り込まないように、画像をバッファに取り込んだ後であることが必要である。また、画像を取り込んだ後に発光させる色は、必ずしも赤色である必要はなく、ＬＥＤ２０５の３個（Ｒ，Ｇ，Ｂ）のＬＥＤに対する駆動電流を制御することにより、白色以外の被写体等が視認しやすい色を発光させるようにしてもよい。
バッファに取り込まれた画像データは、ユーザの所定の操作により、圧縮されてメモリ１６に記憶される。
【００７９】
ステップＳＴ５１においてライト設定がオート状態の場合、制御回路２１は、ライト設定がオフ状態と同様の動作を行う。すなわち、ＬＥＤ２０５を発光させずに、シャッターボタンが押下されたタイミングをトリガとして上述した撮像処理を行う。
【００８０】
（Ｂ−２）モニタ  →  連写（連続静止画）撮影
図９は、撮影モードデータに基づき、各撮影モードの中から連写撮影モード（撮影モード２）を選択した場合において、各光源に対する制御を説明するためのフローチャートである。以下、フローチャートの各ステップに沿って、動作を説明する。
【００８１】
携帯電話機１がモニタ動作の状態から、ユーザが撮影キー１５ｆに割り付けられたシャッターボタンを押下（操作）すると（ステップＳＴ６０）、制御回路２１は、モニタ時においてユーザによりセットされたライト設定をチェックし（ステップＳＴ６１）、シャッターボタンが押下されたタイミングをトリガとして以下の処理を行う。
ライト設定がオン状態（ＯＮ）の場合は、制御回路２１は、ＬＥＤ駆動回路２０３を駆動してＬＥＤ２０５を白色発光、すなわち、最も輝度の高い色に発光させ始める（ステップＳＴ６２）。同時に、シャッターボタンが押下されたタイミングをトリガとして以下の処理を行う。
【００８２】
すなわち、撮像処理回路１９３は、対物レンズ１９２より取り込まれた像に基づいて輝度値のディジタルデータを生成し、制御回路２１は、その輝度値のディジタルデータを、上記トリガが発生したタイミングを基準に所定の時間間隔で順次、カラー画像に再構成してバッファに取り込む（ステップＳＴ６２）。
本実施形態においては、連続９個までの画像をバッファに取り込み、その間、制御回路２１は、ＬＥＤ２０５を白色発光させ続け、９個の画像をバッファに取り込んだ後にＬＥＤ２０５を消灯させる。
バッファに取り込まれた９個の画像データは、ユーザの所定の操作により、圧縮されてメモリ１６に記憶される。
【００８３】
ステップＳＴ６１においてライト設定がオフ状態（ＯＦＦ）の場合には、制御回路２１は、ＬＥＤ駆動回路２０３を駆動してＬＥＤ２０５を赤色に発光させ始める（ステップＳＴ６３）。同時に、シャッターボタンが押下されたタイミングをトリガとして以下の処理を行う。
【００８４】
すなわち、撮像処理回路１９３は、対物レンズ１９２より取り込まれた像に基づいて輝度値のディジタルデータを生成し、制御回路２１は、その輝度値のディジタルデータを、上記トリガが発生したタイミングを基準に所定の時間間隔で順次、カラー画像に再構成してバッファに取り込む（ステップＳＴ６３）。
本実施形態においては、連続９個までの画像をバッファに取り込み、その間、制御回路２１は、ＬＥＤ２０５を赤色発光させ続け、９個の画像をバッファに取り込んだ後にＬＥＤ２０５を消灯させる。
【００８５】
ここで、ライト設定がオフ状態である場合、連写撮影中にＬＥＤ２０５に発光させる色は、必ずしも赤色である必要はなく、ＬＥＤ２０５の３個（Ｒ，Ｇ，Ｂ）のＬＥＤに対する駆動電流を制御することにより、白色以外であって、被写体に相当する人が連写撮影中であることを視認しやすい色に発光させるようにすればよい。
バッファに取り込まれた９個の画像データは、ユーザの所定の操作により、圧縮されてメモリ１６に記憶される。
【００８６】
ステップＳＴ６１においてライト設定がオート状態の場合は、制御回路２１は、ライト設定がオフ状態である場合と同様に動作し、連写撮影中は、ＬＥＤ駆動回路２０３を駆動してＬＥＤ２０５を赤色に点灯させる。
【００８７】
（Ｂ−３）モニタ  →  動画（ムービー）撮影
図１０は、撮影モードデータに基づき、各撮影モードの中から動画撮影モード（撮影モード３）を選択した場合において、各光源に対する制御を説明するためのフローチャートである。以下、フローチャートの各ステップに沿って、動作を説明する。
【００８８】
携帯電話機１がモニタ動作の状態から、ユーザが撮影キー１５ｆに割り付けられたシャッターボタンを押下（操作）すると（ステップＳＴ７０）、制御回路２１は、モニタ時においてユーザによりセットされたライト設定をチェックし（ステップＳＴ７１）、シャッターボタンが押下されたタイミングをトリガとして以下の処理を行う。
ライト設定がオン状態（ＯＮ）の場合は、制御回路２１は、ＬＥＤ駆動回路２０３を駆動してＬＥＤ２０５を白色発光、すなわち、最も輝度の高い色に発光させ始める（ステップＳＴ７２）。同時に、シャッターボタンが押下されたタイミングをトリガとして以下の処理を行う。
【００８９】
すなわち、撮像処理回路１９３は、対物レンズ１９２より取り込まれた像に基づいて輝度値のディジタルデータを生成し、制御回路２１は、その輝度値のディジタルデータを、上記トリガが発生したタイミングを基準に所定のフレーム周期で順次、カラー画像の各フレームに再構成した動画データをバッファに取り込む（ステップＳＴ７２）。
動画データのバッファへの取り込みは、撮影キー１５ｆに割り付けられた録画停止ボタンが押下されるまで行われる（ステップＳＴ７３）。また、動画データをバッファに取り込む間、制御回路２１は、ＬＥＤ２０５を白色発光させ続け、撮影キー１５ｆが押下されて動画データのバッファへの取り込みが終了すると、ＬＥＤ２０５を消灯させる（ステップＳＴ７６）。
バッファに取り込まれた動画データは、ユーザの所定の操作により、圧縮されてメモリ１６に記憶される。
【００９０】
ステップＳＴ７１において、ライト設定がオフ状態（ＯＦＦ）の場合は、制御回路２１は、ＬＥＤ駆動回路２０３を駆動してＬＥＤ２０５を赤色に発光させ始める（ステップＳＴ７４）。同時に、シャッターボタンが押下されたタイミングをトリガとして以下の処理を行う。
【００９１】
すなわち、撮像処理回路１９３は、対物レンズ１９２より取り込まれた像に基づいて輝度値のディジタルデータを生成し、制御回路２１は、その輝度値のディジタルデータを、上記トリガが発生したタイミングを基準に所定のフレーム周期で順次、カラー画像の各フレームに再構成した動画データをバッファに取り込む（ステップＳＴ７４）。
動画データのバッファへの取り込みは、撮影キー１５ｆに割り付けられた録画停止ボタンが押下されるまで行われる（ステップＳＴ７５）。また、動画データをバッファに取り込む間、制御回路２１は、ＬＥＤ２０５を赤色発光させ続け、撮影キー１５ｆが押下されて動画データのバッファへの取り込みが終了すると、ＬＥＤ２０５を消灯させる（ステップＳＴ７６）。
【００９２】
ここで、ライト設定がオフ状態である場合、動画撮影中にＬＥＤ２０５に発光させる色は、必ずしも赤色である必要はなく、ＬＥＤ２０５の３個（Ｒ，Ｇ，Ｂ）のＬＥＤに対する駆動電流を制御することにより、白色以外であって、被写体に相当する人が動画撮影中であることを視認しやすい色に発光させるようにすればよい。
バッファに取り込まれた動画データは、ユーザの所定の操作により、圧縮されてメモリ１６に記憶される。
なお、本実施形態において、動画撮影モードの場合は、オート状態の設定はない。
【００９３】
（Ｂ−４）モニタ  →  セルフタイマ撮影
図１１は、ユーザがセルフタイマ撮影を行う場合において、各光源に対する制御を説明するためのフローチャートである。以下、フローチャートの各ステップに沿って、動作を説明する。
【００９４】
ユーザが撮影キー１５ｆに割り当てられた所定のキーを操作して、セルフタイマ機能を選択しシャッターボタンが押下されると（ステップＳＴ８０）、制御回路２１に内蔵されたタイマがカウントをスタートする（ステップＳＴ８１）。
そして、タイマのカウントが所定時間経過するまで（ステップＳＴ８２）、制御回路２１は、ＬＥＤ駆動回路２０３を駆動して、ＬＥＤ２０５を点滅させる。
【００９５】
点滅は、たとえば、カウントスタート後７秒間は、５００ｍｓ点灯／５００ｍｓ消灯を繰り返し、その後の３秒間は、２５０ｍｓ点灯／２５０ｍｓ消灯を繰り返すことにより、被写体に相当する人が撮影による画像取り込みタイミングを認識しやすいようにして行う。そして、制御回路２１は、このタイミングでＬＥＤ２０５に駆動電流が流れるように、ＬＥＤ駆動回路２０３を制御する。
【００９６】
ＬＥＤ２０５に発光させる色は、ライト設定により異なり（ステップＳＴ８３）、ライト設定がオン状態のときは、白色点灯であり（ステップＳＴ８４）、また、ライト設定がオフ状態のときは、赤色点滅である（ステップＳＴ８５）。ユーザ側撮影においては、ユーザは、セルフタイマのカウントダウン自体を表示部１４を見て確認することができるので、強制的な発光を希望している場合は白色点灯とし、それ以外の場合は、セルフタイマのカウントダウンの認識しやすさを重視して赤色点滅としている。
タイマがカウントをスタートしてから所定時間（上記タイミング例では、１０秒）が経過すると、タイマのカウントをリセットして（ステップＳＴ８６）、事前に選択された撮影モード１〜３（静止画、連写、動画）の撮影を行う。
【００９７】
ここで、ライト設定がオフ状態において、タイマがカウント中にＬＥＤ２０５に点滅発光させる色は、必ずしも赤色である必要はなく、ＬＥＤ２０５の３個（Ｒ，Ｇ，Ｂ）のＬＥＤに対する駆動電流を制御することにより、白色以外であって、被写体に相当する人がセルフタイマのカウント中であることを視認しやすい色に発光させるようにすればよい。  
【００９８】
以上、相手側撮影およびユーザ側撮影の場合の各撮影モード１〜３（静止画、連写、動画）とセルフタイマ撮影における光源に対する制御動作について、説明した。
ところで、ユーザが相手側撮影を行っていた状態から、操作部１５を操作することによりユーザ側撮影へ切り替えた場合、ユーザ側撮影においてはストロボ光源２０２が使用できないので、ライト設定がオート状態であっても、オフ状態の場合と同様の動作を行う。
たとえば、相手側撮影において静止画撮影を行っている場合には、ライト設定がオート状態であれば、暗所ではストロボ光源２０２が発光するように制御されるが、この状態で、ユーザ側撮影へ切り替えたとしても、ストロボ光源２０２は使用できないので、ライト設定がオフ状態と同様な制御を行う。すなわち、制御回路２１は、常に撮影方向フラグと撮影モードデータをチェックしているので、撮影方向フラグの更新を検知すると、制御動作を、上述した（Ａ−１）から（Ｂ−１）に変更する。
【００９９】
このようにして取り込まれた画像データは、上述したように、ユーザの所定の操作に応じて、圧縮されたうえでメモリ１６に格納される。そして、制御回路２１は、通信部１２を制御して、メモリ１６に格納された画像データを無線送信することが可能である。
すなわち、電波を利用した無線通信で行うために、無線回路１２２は、メモリ１６に格納される画像データを変調して、本体ケース１１の表示部１４のある側に内蔵されているアンテナ１２１から、図示しない基地局に送信することが可能である。
【０１００】
また、通信部１２が電子メール等の無線通信を受信した時に、制御回路２１が、その着信データの処理を行うと同時に、ＬＥＤ駆動回路２０３を制御してＬＥＤ２０５を発光させるようにしてもよい。
【０１０１】
以上説明したように、本実施形態に係る携帯電話機１によれば、景色や被写体の画像を取り込む（相手側撮影）ための対物レンズ１９１と撮像処理回路１９３を含む第１の系統と、ユーザ自身の画像を取り込む（ユーザ側撮影）ための対物レンズ１９２と撮像処理回路１９３を含む第２の系統との２つの系統の画像取り込み機構からなる撮像処理部１９と、上記第１の系統のために駆動されるストロボ光源２０２と様々に発色可能なＬＥＤ２０４と、上記第２の系統のために駆動される様々に発色可能なＬＥＤ２０５と、制御回路２１と、ストロボ光源２０２を充電・駆動するためのストロボ駆動回路２０１と、ＬＥＤ２０４およびＬＥＤ２０５を駆動するためのＬＥＤ駆動回路２０３と、光センサ２０６と、ユーザにより発光要求の有無が入力されるライト設定ボタンを含み、静止画／連写／動画／セルフタイマ撮影の各撮影モードの選択が可能な操作部１５と、取り込んだ画像を表示するための表示部１４とを有し、制御回路２１が、ライト設定ボタンと各撮影モードの選択に基づいて、ストロボ駆動回路２０１およびＬＥＤ駆動回路２０３を制御するように構成した。
また、さらに、携帯電話機１は通信部１２を有し、無線通信データを受信した時には、制御回路２１は、ＬＥＤ駆動回路２０３を制御してＬＥＤ２０５を発光させるように構成した。
【０１０２】
したがって、相手側撮影における静止画撮影の場合にはストロボ光源が発光し、また、相手側撮影における連写／動画撮影の場合のように、ストロボ光源の使用が困難である場合でも、ＬＥＤを最も輝度の高い白色に発光させるので、暗所での連写／動画撮影において鮮明な画像データの取得が可能である。
【０１０３】
モニタ動作中に、ライト設定のオン状態（発光）が選択されると、ＬＥＤを最も輝度の高い白色に発光させるので、暗所においても、ユーザは被写体を鮮明に捉えることができる。
【０１０４】
連写／動画撮影の場合には、ライト設定ボタンがオン状態（発光）に選択されると、撮影中連続してＬＥＤを最も輝度の高い白色に発光させるので、ユーザは被写体を鮮明に捉えることができ、ライト設定のオフ状態が選択されると、撮影中連続してＬＥＤを赤色に発光させるので、被写体が撮影中であることを視認しやすい。
【０１０５】
ユーザ側撮影のために、相手側撮影のためのＬＥＤ２０４と異なるＬＥＤ２０５を有しているおり、ライト設定のオン状態が選択されると、ＬＥＤを最も輝度の高い白色に発光させるので、ユーザは被写体を鮮明に捉えることができる。
【０１０６】
セルフタイマ撮影において、タイマカウント中は、相手側撮影およびユーザ側撮影に応じて、各ＬＥＤ２０４，２０５を点滅発光させるので、被写体またはユーザが、撮影による画像の取り込み開始のタイミングを把握しやすい。
【０１０７】
また、相手側撮影およびユーザ側撮影の両方に対してストロボ光源を搭載することは、コストおよび機器の大きさの観点から一般的に実現することが難しいが、本実施形態における携帯電話機１は、焦点距離の長い相手側撮影にのみストロボ光源を搭載し、焦点距離が短いユーザ側撮影に対しては、ＬＥＤを搭載したので、コストおよび機器の大きさ並びに光源照射性能の観点からバランスがとれ、効率が良い。
【０１０８】
ＬＥＤ２０５を、撮影のための発光機能だけでなく、通信部１２が電子メール等を受信した時に発光させる着信機能を持たせることが可能であり、そのための追加の部品等は必要ないので携帯電話機１を安価に設計できる。
【図面の簡単な説明】
【０１０９】
【図１】実施形態に係る携帯電話機の外観の一例を図解した図である。
【図２】実施形態に係る携帯電話機の外観の一例を図解した図である。
【図３】実施形態に係る携帯電話機のシステム構成の一例を図解した図である。
【図４】実施形態に係る携帯電話機の発光制御を示すフローチャートの一例である。
【図５】実施形態に係る携帯電話機の発光制御を示すフローチャートの一例である。
【図６】実施形態に係る携帯電話機の発光制御を示すフローチャートの一例である。
【図７】実施形態に係る携帯電話機の発光制御を示すフローチャートの一例である。
【図８】実施形態に係る携帯電話機の発光制御を示すフローチャートの一例である。
【図９】実施形態に係る携帯電話機の発光制御を示すフローチャートの一例である。
【図１０】実施形態に係る携帯電話機の発光制御を示すフローチャートの一例である。
【図１１】実施形態に係る携帯電話機の発光制御を示すフローチャートの一例である。
【符号の説明】
【０１１０】
１…携帯電話機
１１…本体ケース
１２…通信部
１２１…送受信アンテナ
１２２…無線回路
１３…音声処理部
１３１…音声処理回路
１３２…マイクロフォン
１３３…スピーカ
１４…表示部
１５…操作部
１６…メモリ
１８…可動機構部
１９…撮像処理部
１９１…対物レンズ
１９２…対物レンズ
１９３…撮像処理回路
２０…発光部
２０１…ストロボ駆動回路
２０２…ストロボ光源
２０３…ＬＥＤ駆動回路
２０４…ＬＥＤ
２０５…ＬＥＤ
２０６…光センサ
２１…制御回路。
【図１】
2005107240.tif 000003
【図２】
2005107240.tif 000004
【図３】
2005107240.tif 000005
【図４】
2005107240.tif 000006
【図５】
2005107240.tif 000007
【図６】
2005107240.tif 000008
【図７】
2005107240.tif 000009
【図８】
2005107240.tif 000010
【図９】
2005107240.tif 000011
【図１０】
2005107240.tif 000012
【図１１】
2005107240.tif 000013